(57)【要約】【課題】誤って装着されたカードをカード検出スイッチが検出することがないカード用コネクタ構造を提供する。【解決手段】ベースと；ベースの一端側に回動自在に軸支され、カードが挿抜されるカード収容部を有し、カード収容部に収容されたカードとともにベースに沿って水平スライド可能なカバーと；カバーがベースに沿って一端側へ水平スライドしたときにカバーとともに水平スライドするカードと接触させられることによりカードのカバーに対する装着状態を検出することができる検出スイッチと；カードと接触し得る複数のコンタクトと、を備え；検出スイッチを利用してカードのカード用コネクタに対する装着を検出する。【選択図】図５
2008287919.tif 000002
【特許請求の範囲】
【請求項１】
カード用コネクタにおいて、
ベースと、
前記ベースの一端側に回動自在に軸支され、カードが挿抜されるカード収容部を有し、前記カード収容部に収容されたカードとともに前記ベースに沿って水平スライド可能なカバーと、
前記カバーが前記ベースに沿って前記一端側へ水平スライドしたときに前記カバーとともに水平スライドする前記カードと接触させられることにより前記カードの前記カバーに対する装着状態を検出することができる検出スイッチと、
前記カードと接触し得る複数のコンタクトと、を備え、
前記検出スイッチを利用して前記カードの前記カード用コネクタに対する装着を検出することを特徴とする前記カード用コネクタ。
【請求項２】
前記検出スイッチは、前記カードと接触して変位し得る第一スイッチ部と、前記第一スイッチ部の変位時に前記第一スイッチ部と接触して導通され得る第二スイッチ部から成り、前記第一スイッチ部と前記第二スイッチ部の導通状態の有無により、前記カードの前記カード用コネクタに対する装着を検出する請求項１に記載のカード用コネクタ。
【請求項３】
前記カードと前記第一スイッチ部の接触部は前記水平スライド方向において前記カバーの前記ベースに対する軸支側に設けられている請求項２に記載のカード用コネクタ。
【請求項４】
前記カバーの前記軸支側の縁に前記ベースに向かって立設された立設部が設けられている請求項３に記載のカード用コネクタ。
【請求項５】
前記カバーとともに前記カードが水平スライドされる際、前記カードは前記水平スライド方向に沿って、前記カードと前記第一スイッチ部の接触部の側において前記水平スライド方向と直交する方向に延びる狭幅部と、前記カードと前記第一スイッチ部の接触部の反対側において前記水平スライド方向と直交する方向に延びる広幅部と、前記水平スライド方向と直交する方向における前記狭幅部と前記広幅部の長さの差によって側面に形成された段差部を有し、前記段差部付近に、前記第一スイッチ部が水平又は垂直方向に可動な状態で配置され、前記カード収容部に収容されたカードが前記カバーとともに前記ベースに沿って前記水平スライドしたときに、前記カードの段差部が前記第一スイッチ部と接触して前記第一スイッチ部と前記第二スイッチ部が導通される請求項２乃至４のいずれかに記載のカード用コネクタ。
【請求項６】
前記カバーの内側面に、前記水平スライド方向に沿って、前記水平スライド方向における長さを前記水平スライド方向と直交する方向における長さよりも長く設定した突出部を形成し、前記ベースの外側面に、前記水平スライド方向に沿って、前記カバーの突出部が回動し得る径を有する円形穴と、この円形穴から連続状態で該円形穴の径よりは小さいが前記カバーの突出部が前記水平方向にスライドし得る大きさを有する長溝を前記カードと前記第一スイッチ部の接触部に向かって前記水平スライド方向に形成することにより、前記カバーは、前記カバーの突出部が前記ベースの円形穴に位置付けられているときは前記ベースに対して回動自在に軸支され、前記ベースに対して約０度と１８０度を成すときは前記カードとともに前記ベースに沿って水平スライド可能である請求項２乃至５のいずれかに記載のカード用コネクタ。
【請求項７】
前記カバーが前記ベースに対して９０度の角度付近で軸支されているときに、前記カバーの立設部の先端付近と接触して、前記カバーの前記ベースに対する角度を保持する傾斜面を前記ベースに設けた請求項２乃至６のいずれかに記載のカード用コネクタ。
【請求項８】
前記カバーが前記ベースに対して約０度と１８０度以外で軸支されたとき、前記カバーは、前記カバーの突出部と前記ベースの円形穴により、前記水平スライド方向において前記ベースの長溝よりも前記カードと前記第一スイッチ部の接触部に近い側に配置され、前記カード収容部に収容されていないカードは前記カバーの前記ベース側の内壁と衝突し前記カードと前記第一スイッチ部の接触部に達しない請求項６又は７に記載のカード用コネクタ。
【請求項９】
前記カバーが前記ベースに対して約１８０度で軸支されたとき、前記カバーは、前記カバーの突出部と前記ベースの長溝により、前記ベースの長溝において少なくとも前記突出部の水平スライド方向における長さ分だけ前記カードと前記第一スイッチ部の接触部の側に配置され、前記カード収容部に収容されていないカードは所定高さで立設する前記立設部と衝突し前記カードと前記第一スイッチ部の接触部は接触しない請求項６乃至８のいずれかに記載のカード用コネクタ。
【請求項１０】
前記カバーの突出部を溝穴とし、前記ベースの円形穴と長溝を突出部とした請求項６乃至９のいずれかに記載のカード用コネクタ。
【請求項１１】
前記カバーは、前記ベースに対して約０度で軸支された状態で前記カードと前記第一スイッチ部の接触部に向かって前記ベースに沿って水平スライドされたときに、前記ベースにロックされる請求項２乃至１０のいずれかに記載のカード用コネクタ。
【発明の詳細な説明】
【技術分野】
【０００１】
本発明は、カード用コネクタ、特に、カードの装着或いは未装着状態を検出することができるカード検出スイッチを備えたカード用コネクタに関する。
【背景技術】
【０００２】
ＳＩＭカードやＳＤカードといった各種カードデバイスを、携帯電話機やパーソナルコンピュータ、ＰＨＤ等の本体機器に接続するため、様々なタイプのカード用コネクタが使用されている。例えば、いわゆるプッシュ・プッシュ操作によってカードの装着を行うものもあるし、カードが挿抜されるカード収容部を有するカバーを用いてカードの装着を行うものもある。
【０００３】
後者の一例として、特開２００３−８６３０２号に開示されているものがある。ここに開示されたコネクタは、主に、ベースと、このベースに回動自在に軸支され、カードが挿抜されるカード収容部を有するカバーと、カードと電気接続され得るコンタクトと、カードを収容したカバーがベースに対して約０度を成したときにカードと接触して変位し得る第一スイッチ部と、この第一スイッチ部に隣接して配置され、第一スイッチ部の変位時に第一スイッチ部と接触して導通される第二スイッチ部から成る。特に、カバーは、それがベースに対して約０度を成すときに、ベースに対するカードの位置は固定したまま、自身のみがベースに沿って水平スライドするようにされており、また、カバーがスライドするか否かにかかわらず、カードを収容したカバーがベースに対して約０度を成したときには、第一スイッチ部と第二スイッチ部が接触して導通するようになっている。これら第一スイッチ部と第二スイッチ部の導通状態の有無により、このカード用コネクタにおけるカードの装着、未装着状態を検出するものである。
【０００４】
【特許文献１】特開２００３−８６３０２号
【発明の開示】
【発明が解決しようとする課題】
【０００５】
ところで、上述したプッシュ・プッシュタイプのカード用コネクタでは、カードを挿抜させるために、本体機器、例えば、携帯電話機に穴を設ける必要があるが、このような穴を設けるために余計なコストがかかり、また、このような穴は本体機器の外観を損ねるといった欠点がある。これに対して、上記公報に開示されているようなカード収容部を用いたカード用コネクタでは、例えば、バッテリを収容する穴にカード用コネクタを配置することができることから、上述したプッシュ・プッシュタイプのコネクタのような欠点はない。しかしながら、このタイプのコネクタでは、例えば、使用時にカバー収容部ではなくベースにカードを直接置いてしまった場合に、カード検出スイッチがベースに誤って装着されたカードを検出してしまうことがある。本発明はこのような従来技術における問題点を解決するためになされたものであり、誤って装着されたカードをカード検出スイッチが検出することがないカード用コネクタを提供するものである。
【課題を解決するための手段】
【０００６】
本発明は、カード用コネクタにおいて、ベースと；前記ベースの一端側に回動自在に軸支され、カードが挿抜されるカード収容部を有し、前記カード収容部に収容されたカードとともに前記ベースに沿って水平スライド可能なカバーと；前記カバーが前記ベースに沿って前記一端側へ水平スライドしたときに前記カバーとともに水平スライドする前記カードと接触させられることにより前記カードの前記カバーに対する装着状態を検出することができる検出スイッチと；前記カードと接触し得る複数のコンタクトと、を備え；前記検出スイッチを利用して前記カードの前記カード用コネクタに対する装着を検出することを特徴としている。
上記コネクタにおいて、前記検出スイッチは、前記カードと接触して変位し得る第一スイッチ部と、前記第一スイッチ部の変位時に前記第一スイッチ部と接触して導通され得る第二スイッチ部から成り、前記第一スイッチ部と前記第二スイッチ部の導通状態の有無により、前記カードの前記カード用コネクタに対する装着を検出するようになっていてもよい。
【０００７】
また、上記コネクタにおいて、前記カードと前記第一スイッチ部の接触部は前記水平スライド方向において前記カバーの前記ベースに対する軸支側に設けられていてもよい。
【０００８】
更に、上記コネクタにおいて、前記カバーの前記軸支側の縁に前記ベースに向かって立設された立設部が設けられていてもよい。
【０００９】
更にまた、上記コネクタにおいて、前記カバーとともに前記カードが水平スライドされる際、前記カードは、前記水平スライド方向に沿って、前記カードと前記第一スイッチ部の接触部の側において前記水平スライド方向と直交する方向に延びる狭幅部と、前記カードと前記第一スイッチ部の接触部の反対側において前記水平スライド方向と直交する方向に延びる広幅部と、前記水平スライド方向と直交する方向における前記狭幅部と前記広幅部の長さの差によって側面に形成された段差部を有し、前記段差部付近に、前記第一スイッチ部が水平又は垂直方向に可動な状態で配置され、前記カード収容部に収容されたカードが前記カバーとともに前記ベースに沿って前記水平スライドしたときに、前記カードの段差部が前記第一スイッチ部と接触して前記第一スイッチ部と前記第二スイッチ部が導通されてもよい。
【００１０】
また、上記コネクタにおいて、前記カバーの内側面に、前記水平スライド方向に沿って、前記水平スライド方向における長さを前記水平スライド方向と直交する方向における長さよりも長く設定した突出部を形成し；前記ベースの外側面に、前記水平スライド方向に沿って、前記カバーの突出部が回動し得る径を有する円形穴と、この円形穴から連続状態で該円形穴の径よりは小さいが前記カバーの突出部が前記水平方向にスライドし得る大きさを有する長溝を前記カードと前記第一スイッチ部の接触部に向かって前記水平スライド方向に形成することにより；前記カバーは、前記カバーの突出部が前記ベースの円形穴に位置付けられているときは前記ベースに対して回動自在に軸支され、前記ベースに対して約０度と１８０度を成すときは前記カードとともに前記ベースに沿って水平スライド可能とされていてもよい。
【００１１】
また、上記コネクタにおいて、前記カバーが前記ベースに対して９０度の角度付近で軸支されているときに、前記カバーの立設部の先端付近と接触して、前記カバーの前記ベースに対する角度を保持する傾斜面を前記ベースに設けてもよい。
【００１２】
また、上記コネクタにおいて、前記カバーが前記ベースに対して約０度と１８０度以外で軸支されたとき、前記カバーは、前記カバーの突出部と前記ベースの円形穴により、前記水平スライド方向において前記ベースの長溝よりも前記カードと前記第一スイッチ部の接触部に近い側に配置され、前記カード収容部に収容されていないカードは前記カバーの前記ベース側の内壁と衝突し前記カードと前記第一スイッチ部の接触部に達しないのが好ましい。
【００１３】
また、上記コネクタにおいて、前記カバーが前記ベースに対して約１８０度で軸支されたとき、前記カバーは、前記カバーの突出部と前記ベースの長溝により、前記ベースの長溝において少なくとも前記突出部の水平スライド方向における長さ分だけ前記カードと前記第一スイッチ部の接触部の側に配置され、前記カード収容部に収容されていないカードは所定高さで立設する前記立設部と衝突し前記カードと前記第一スイッチ部の接触部は接触しないのが好ましい。
【００１４】
更に、上記コネクタにおいて、前記カバーの突出部を溝穴とし、前記ベースの円形穴と長溝を突出部としてもよい。
【００１５】
更にまた、上記コネクタにおいて、前記カバーは、前記ベースに対して約０度で軸支された状態で前記カードと前記第一スイッチ部の接触部に向かって前記ベースに沿って水平スライドされたときに、前記ベースにロックされてもよい。
【発明を実施するための最良の形態】
【００１６】
以下、添付図面を参照しつつ、本発明の好適な一実施形態によるカード用コネクタを説明する。
【００１７】
図１は、本発明の一例としてのカード用コネクタ１の斜視図、図２は、その上面図、図３は、その内部状態を示す上面図である。
【００１８】
カード用コネクタ１は、本体機器の内部に固定して使用することができる。例えば、本体機器である携帯電話機内部に設けたバッテリ配置部の、更にその奥に設けた窪みに、図１や図２に示す状態で設置させることができる。内部に設置した場合、通常の使用状態においてはカード用コネクタ１が本体機器の外部に現れることはなく、従って、本体機器の外観を損ねることはない。
【００１９】
このカード用コネクタ１は、主に、ベース１０と、該ベース１０に軸支され、カードが挿抜されるカード収容部４２を有したヒンジカバー４０と、該ベース１０に固定され、ヒンジカバー４０に挿入したカードの所定部分と電気的に接触し得る複数のコンタクト９０と、更に、カードの装着或いは未装着状態を検出する検出スイッチ７０（図３等参照）から成る。検出スイッチ７０によって検出されたカードの装着状態（或いは未装着状態）は、本体機器に電気信号で伝達され、例えば、カードに対するデータの操作を禁止或いは許可するために使用できる。故に、検出スイッチ７０を設けることにより、カードに対する不適切な操作を有効に防止することができる。尚、検出スイッチ７０による検出結果を、本体機器の所定部分、例えば、携帯電話機のディスプレイに表示して、ユーザに警告してもよい。
【００２０】
ベース１０は、カード用コネクタ１の基礎を成す。ベース１０には、例えば、樹脂等の絶縁部材でできたハウジング部２０と、このハウジング部２０に一体成形で組み込まれた金属部分が含まれる。金属部分は、電気的に切断された３つのグループで構成される。各グループに含まれる基板設置部を通じて、ベース１０は、半田等によって本体機器の基板（図示されていない）に固定され得る。
【００２１】
各グループは、それぞれ、一枚の金属を打抜き折り曲げることによって形成してある。第一グループは、ハウジング部２０の一方のアーム部２３に一体成形で組み込まれた部分であって、ベース１０の前方部分に比較的広い設置面を有する前方基板設置部１１と、ベース１０の後方に設置面を有する後方基板設置部１３を有し、更に、検出スイッチ７０の一部を成す第一スイッチ部７１、ヒンジカバー４０をロックするために基板に対して中空状態で配置されたロック片１２、同様にヒンジカバー４０をロックするために基板に対して中空状態で配置されたロック片２８、及びベース１０の後方外側面に設けたカバー設置部２１を有する。第二グループの金属部分は、ベース１０の後方に比較的大きな設置面を有する後方基板固定部２７と、第一グループの第一スイッチ部７１とともに検出スイッチ７０の一部を成す第二スイッチ部７２を有する。第三グループの金属部分は、ハウジング部２０の他方のアーム部２４に一体成形で組み込まれた部分であって、ベース１０の前方部分に比較的広い設置面を有する前方基板固定部１４と、ベース１０の後方に比較的大きな設置面を有する後方基板固定部１６を有し、更に、第一グループのロック片１２と対で使用され、ヒンジカバー４０をロックするために基板に対して中空状態で配置されるロック片１５、第一グループのロック片２８と対で使用され、同様にヒンジカバー４０をロックするために基板に対して中空状態で配置されるロック片２９、及びベース１０の後方外側面に設けたカバー設置部２１’を有する。
【００２２】
コンタクト９０は、アーム部２３、２４をつなぐ中継部３２に一体成形されている。コンタクト９０の一端は、基板固定部９１として使用され、基板固定部（１１等）と同様に、基板に半田等によって固定される。コンタクト９０の他端は、カード１００のパッド部（図示されていない）と接触させるカード接触部９２として形成され、カード１００との接触が確実になされるように、ヒンジカバー４０のカード収容部４２側に向かって多少変位させた状態で設けてある。
【００２３】
ヒンジカバー４０は、ベース１０に対して回動自在に軸支され、更に、所定角度で軸支されているときはベース１０に対して水平スライド可能である。回動例として、図４に、ヒンジカバー４０をベース１０に対して約４５度回動させた状態を、図５に、図４の状態にあるヒンジカバー４０にカード１００を挿入した状態を、それぞれ斜視図で示している。尚、回動可能な範囲は、基板設置前は約３６０度、基板設置後は、基板によって妨げられるため、約１８０度である。水平スライド構造を説明するため、更に、図６に、図２のカード用コネクタ１におけるＡ−Ａ線断面図であってヒンジカバー４０がベース１０にロックされた状態を、図７に、図２のカード用コネクタ１におけるＡ−Ａ線断面図であってヒンジカバー４０がベース１０からロック解除された状態（回動可能な状態）を、それぞれ示している。尚、既術の図１は、図６に示したロック状態に対応している。ヒンジカバー４０に対するカード１００の挿入は挿抜口４３を通じて行う。挿入口４３は、ヒンジカバー４０の軸支側の対向側に設けてある。挿入を容易にするため、挿抜口４３に誘い込み部４８を設け、更に、挿入後のヒンジカバー４０に対するカード１００の位置決めを容易にするため、誘い込み部４８と連続した状態で案内板４９を設けている。カード１００をヒンジカバー４０に装着し、ヒンジカバー４０を回動させてベース１０に対して約０度に設定したカバー閉状態で、ヒンジカバー４０はベース１０に沿って水平スライドされる。これにより、ヒンジカバー４０はベース１０に対してロック或いはロック解除され得る。以下により詳しく説明するように、本発明のカード用コネクタ１は、特に、ヒンジカバー４０がベース１０に対してロック状態にあるときに、カードの装着状態を検出することができるようになっている。
【００２４】
ヒンジカバー４０をベース１０に対して回動自在とするため、ヒンジカバー４０はベース１０に軸支されている。軸支するため、ベース１０のカバー設置部２１、２１’に、溝穴１７、１７’が、これらの溝穴１７、１７’に対応して、ヒンジカバー４０の先端側の側壁に、内側面に内方突出した一対の突出部４５、４５’が、それぞれ対向して設けてある。ベース１０の溝穴１７、１７’は、ベース１０の後方外側面に設けられており、若干前方側の円形穴３４、３４’と、後方側に連続した状態とされた長溝３５、３５’が含まれる。これら長溝３５、３５’は、カード１００と第一スイッチ部７１の接触部（７４）に向かう方向、換言すれば、水平スライド方向においてヒンジカバー４０のベース１０に対する軸支側に向かう前方方向に、水平スライド方向に沿って形成してある。これらベース１０の円形穴３４、３４’及び長溝３５、３５’に、ヒンジカバー４０の突出部４５、４５’を対応して取り付けることにより、ヒンジカバー４０はベース１０に対して後端よりは前方位置で回動及び前記回動の位置から後方に向けて水平スライド可能な状態で軸支される。尚、溝穴１７’、突出部４５’、円形穴３４’、長溝３５’は、図に現れていないが、溝穴１７や突出部４５、円形穴３４、長溝３５の対向位置に同じ大きさ及び形状で設けられていると考えてよい。回動に加えてスライド移動を可能とするため、ヒンジカバー４０の突出部４５、４５’は、水平スライド方向における長さを水平スライド方向と直交する方向における長さよりも長く設定してあり、また、ベース１０の円形穴３４、３４’は、これらヒンジカバー４０の突出部４５、４５’が回動し得るのに十分な径を有するように設定してある。更に、ベース１０の長溝３５、３５’は、円形穴３４、３４’の径よりは小さいが、ヒンジカバー４０の突出部４５、４５’が水平方向にスライドし得るのに十分な大きさに設定してある。以上のように寸法決めすることにより、ヒンジカバー４０は、ベース１０に対して円形穴３４、３４’付近で約３６０度回動自在に軸支されるとともに、特に、ベース１０に対して約０度と１８０度を成すときに、カード１００とともにベース１０に沿って水平方向にスライド移動され得る。
【００２５】
ヒンジカバー４０は、一枚の金属板を打抜き折曲ることによって製造するのが好ましい。特に、ヒンジカバー４０の先端側（軸支側）の縁には、曲げ加工によって、ベース１０に向かって立設した立設部５４が設けてある。立設部５４は、カード収容部４２に挿入されたカード１００の先端を受ける受け面部を形成し得るとともに、ヒンジカバー４０の回動角度を保持するためにも利用される。更に後述するスイッチの誤操作を防止するためにも利用される。また、ヒンジカバー４０をベース１０に対してロックするため、ヒンジカバー４０の中間付近の左右の側壁５０、５０’に、ベース１０のロック片１２、１５に対応してかぎ部４７，４７’が対向して設けてある。これら対向配置されたかぎ部４７，４７’は、カード１００と第一スイッチ部７１の接触部（７４）に向かって水平スライド方向に延出されている。更に、ヒンジカバー４０の後方には、ベース１０のロック片２８、２９に対応して、側壁５０、５０’から延長状態でカード収容部４２側に直角に折り曲げた、水平方向に延びる一対のロック板４４、４４’が設けてある。これらロック板４４、４４’は、立設部５４等とともに、カード収容部４２のための空間を形成し得る。一方のロック板４４には、ヒンジカバー４０の挿入側から軸支側に向かってカード挿入方向に沿って延びるカード係止片５２が設けられており、その先端付近に設けた垂直折曲部５３がカード収容部４２に挿入されたカード１００の所定位置（図８、９に示す係合凹部１０７）と係合してカード１００のカード収容部４２からの抜けを防止するようになっている。
【００２６】
図６、図７を参照して、ロック状態とロック解除状態の違いを簡単に説明する。図６に示す状態（ロック状態）にあるとき、上側にＬ字を向けたヒンジカバー４０のかぎ部４７、４７’は、下側にＬ字を向けたベース１０のロック片１２、１５の下側に潜り込み、且つ、水平方向に延びるヒンジカバー４０のロック板４４、４４’は、ベース１０のＳ字に似たロック片２８、２９の下側に潜り込む。この結果、ヒンジカバー４０をベース１０に対して回動させようとしても、これらの部分が衝突するため回動は阻止される。一方、ヒンジカバー４０が図７に示す状態（ロック解除状態）にあるときは、自由にヒンジカバー４０をベース１０に対して開閉させることができる。ヒンジカバー４０が図７に示すロック解除状態から図６に示すロック状態に後方に水平スライドされたとき、換言すれば、ヒンジカバー４０が、ベース１０に対して約０度で軸支された状態でカード１００と第一スイッチ部７１の接触部（７４）に向かって水平スライドされたとき、ヒンジカバー４０はベース１０にロックされ、逆に、図６に示す状態から図７に示す状態に向けて前方に水平スライドされたとき、ヒンジカバー４０はベース１０からロック解除される。
【００２７】
次いで、図８、図９を参照して、検出スイッチ７０の動作を説明する。図８は、ヒンジカバー４０がベース１０に未だ完全にはロックされておらず、検出スイッチ７０によってカード１００の装着が確認されてない状態、図９は、ヒンジカバー４０がベース１０に完全にロックされ、検出スイッチ７０によってカード１００の装着が確認された状態を、それぞれ示す。特に、図８、図９のａ）は、カード用コネクタ１の上面図をヒンジカバー４０を省略してカード１００とともに示した図であり、ｂ）は、カード用コネクタ１の横面図をカード１００を省略して示した図である。
【００２８】
これらの図によく示されるように、検出スイッチ７０は、ヒンジカバー４０の軸支位置の近傍であって、且つ、ヒンジカバー４０がカード１００とともに回動しただけ（図７）ではカード１００と干渉しない位置、例えば、カード用コネクタ１の後方位置にあり、ヒンジカバー４０とカード１００とがベース１０に沿って後方へ水平スライドしたときに初めて、カード１００の一部と接触して変位し得る第一スイッチ部７１と、この第一スイッチ部７１に隣接して配置され、第一スイッチ部７１の変位時にこの第一スイッチ部７１と接触して導通され得る第二スイッチ部７２から成る。これら第一スイッチ部７１と第二スイッチ部７２の間の導通状態の有無により、カード１００のヒンジカバー４０（カード用コネクタ１）に対する装着状態或いは未装着状態を検出できる。導通状態は、第一スイッチ部７１と電気的に接続された後方基板固定部２７と、第二スイッチ部７２に電気的に接続された後方基板固定部１３から、基板に接続された電気配線等を通じて電気信号を取り出すことによって行うことができる。第一スイッチ部７１は、例えば、ベース１０のアーム部２３の後方側（軸支側）から前方に向かって水平スライド方向に延びていてもよく、その先端付近に、カード１００の所定部分（段差部１０６）と衝突し得る内方折曲部７４と、カードの所定部分（段差部１０６）と内方折曲部７４の接触を通じて変位したときに第一スイッチ部７１と衝突し得る外方折曲部７５を有する。一方、第二スイッチ部７２は、第一スイッチ部７１の外方折曲部７５に対応して、対応接触位置に接触パッド７６を有していてもよい。
【００２９】
カード１００は、いわゆるマイクロＳＤカードであり、水平スライド方向に沿って、先端にコンタクトパット（図示せず）が配列された狭幅部１０２と広幅部１０４、更に、それらの間の段差部１０６を有する。狭幅部１０２は、カードが水平スライドされる際に、カード１００と第一スイッチ部７１の接触部（７４）の側において水平スライド方向と直交する方向に延びる部分であり、広幅部１０４は、カード１００と第一スイッチ部７１の接触部（７４）の反対側において水平スライド方向と直交する方向に延びる部分であり、段差部１０６は、水平スライド方向と直交する方向における狭幅部１０２と広幅部１０４の長さの差によってカードの側面に形成された部分である。第一スイッチ部７１は、カード１００の段差部１０６付近に、例えば、水平方向に可動な状態で配置される。この結果、図８に示すロック解除状態から図９に示すロック状態とされたとき、換言すれば、カード１００がヒンジカバー４０とともにベース１０に沿って水平スライドしたとき、カードの所定部分（段差部１０６）と内方折曲部７４の接触を通じて第一スイッチ部７１が第二スイッチ部７２側に変位されて第二スイッチ部７２と接触し、第一スイッチ部７１と第二スイッチ部７２が導通されてカード１００の装着が検出されることになる。このように、検出スイッチ７０は、ヒンジカバー４０がベース１０に完全にロックされたときにのみ、カード１００との接触によって作動させられてカード１００を検出することができる。つまり、本装置１では、カバーが倒されただけでは動作せず、後方へスライド移動させて完全にカード１００が嵌合された場合にのみ動作する。したがって、ヒンジカバー４０によって誤って装着されたカード１００が検出スイッチ７０を操作することが阻止される。尚、図面上明らかではないが、少なくともヒンジカバー４０がベース１０に完全にロックされたときは、カード１００のコンタクトパットもコンタクト９０と接触し得る。
【００３０】
尚、上の例では、検出スイッチ部７０を、水平方向に可動に設けるとしたが、図１０に概略的に示したように、カード１００の下方の同位置に垂直方向に可動に設けてもよい。この場合は、第一スイッチ部７１Ａが、カード１００の段差部１０６と衝突することにより下方に押しやられ、更に下方に配置した第二スイッチ部７２Ａと接触させられる。図１０において、図８、図９等に示された部材に対応する部材には同様の番号を付している。
【００３１】
最後に、図１１乃至図１４を参照して、本発明のカード用コネクタ１による誤操作防止作用を具体例で説明する。図１１及び図１２は、ヒンジカバー４０がベース１０に対して約０度と１８０度以外で軸支された状態、例えば、約９０度と１３５度で軸支された状態をそれぞれ示す。ヒンジカバー４０は、カード１００の挿入を容易にするため、自身の立設部５４をベース１０の傾斜面３７と干渉させることにより仮保持される。特に約９０度で仮保持されることが好ましい。ここで、図１１、図１２のａ）は、図４等と同様に、カード用コネクタ１の斜視図を示し、ｂ）は、その中心線断面図を概略的に示す。ヒンジカバー４０は、ベース１０に対する水平スライド方向において、ベース１０の長溝３５よりもカード１００と第一スイッチ部７１の接触部（７４）に近い側（図６に示す側ではなく図７に示す側）に配置される。この位置関係の下では、カード収容部４２に収容されていないカード１００は、カード１００と第一スイッチ部７１の接触部（７４）に接近しようとしても、その前縁の狭幅部１０２においてヒンジカバー４０のベース１０側の内壁４６と衝突することになるから、この衝突状態以上には接近することがなく、この結果、カード１００は、カード１００と第一スイッチ部７１の接触部（７４）には達しない。故に、このカード１００によって、第一スイッチ部第一スイッチ部７１と第二スイッチ部７２が導通されることはない。尚、図１１に示すように、ヒンジカバー４０がベース１０に対して約９０度の角度付近で軸支されているときは、ヒンジカバー４０の立設部５４の先端５５付近がベース１０に設けた傾斜面３７と接触して、この角度を保持することができる。角度を保持することにより、カード収容部４２に対するカード１００の挿入作業を容易にすることができる。
【００３２】
図１３は、ヒンジカバー４０がベース１０に対して約１８０度で軸支され、且つ、ベース１０に対する水平スライド方向において、ベース１０の長溝３５よりもカード１００と第一スイッチ部７１の接触部（７４）に近い側（図６に示す側ではなく図７に示す側）に配置された状態を、図１１、図１２と同様の方法で示した図である。この場合は、図１１や図１２に示した例と異なり、カード収容部４２に収容されていないカード１００の前縁１０２がヒンジカバー４０のベース１０側の内壁４６と衝突することはないが、カード収容部４２に収容されていないカード１００は、所定の高さ、例えば、第一スイッチ部７１や第二スイッチ部７２の高さと略同じ高さに設定されたヒンジカバー４０の立設部５４の先端５５とその裏面において衝突し得るため、この場合にも、カード１００による第一スイッチ部７１と第二スイッチ部７２の導通を防止することができる。つまり、カードの誤収容によるスイッチ検出を阻止することができる。尚、先に説明した図１２は、図１１の内壁４６による誤操作防止に加えて、図１３を参照して説明したヒンジカバー４０の立設部５４の先端５５による誤操作防止の両方の作用をも用いて、誤収容によるスイッチ検出を阻止するものということができる。
【００３３】
図１４は、ヒンジカバー４０がベース１０に対して約１８０度で軸支され、且つ、ベース１０に対する水平スライド方向において、ベース１０の長溝３５の奥側、つまり、カード１００と第一スイッチ部７１の接触部（７４）の側ではなくその反対側（図７に示す側ではなく図６に示す側）に配置された状態を示す。この場合も、図１１や図１２に示す例と異なり、カード収容部４２に収容されていないカード１００の前縁１０２がヒンジカバー４０のベース１０側の内壁４６と衝突することはないが、ヒンジカバー４０の突出部４５とベース１０の長溝３５の働きにより、ベース１０の長溝３５において、少なくともヒンジカバー４０の突出部４５の水平スライド方向における長さ分（図６の“ア”に示す長さ分）だけ、ヒンジカバー４０がカード１００と第一スイッチ部７１の接触部（７４）に近い側に配置されることから、カード収容部４２に収容されていないカード１００は、所定高さ、例えば、第一スイッチ部７１や第二スイッチ部７２の高さと略同じ高さに設定されたヒンジカバー４０の立設部５４の外面５６と衝突することとなり、従って、この場合も、カード１００による第一スイッチ部７１と第二スイッチ部７２の導通を防止することができる。つまり、カードの誤収容によるスイッチ検出を阻止することができる。
【００３４】
このように、ヒンジカバー４０の回転軸を、カード挿入長手方向に対して、軸支部よりもやや中央よりに配置させることで、カバーを倒しただけではカードはスイッチに接触しないこととなり、逆に、カード１００が完全に嵌合された場合にのみ、スイッチがＯＮとされる。故に、ヒンジカバー４０は、約０度と１８０度以外で軸支された状態においては、カード１００が誤ってスイッチ（第一スイッチ部７１）に接触してＯＮにしない保護の役割を果たす。
【００３５】
尚、上の説明では、ヒンジカバー４０側に突出部を設け、ベース１０側に溝穴を設けることとしていたが、逆に、ヒンジカバー４０側に溝穴を、ベース１０側に突出部を設けてもよい。更に、上の説明では、段差部１０６を有するカード１００を例に挙げて説明したが、これ以外の形状を有するカードにも本発明は同様に適用することができる。例えば、カードの挿入側の縁と衝突するような位置に検出スイッチ７０を設ければよい。したがって、使用されるカードの形状は限定されることがなく、本発明は様々な形状のカードに適用することができる。
【産業上の利用可能性】
【００３６】
携帯電話機等のカードを使用する機器に幅広く利用することができる。
【図面の簡単な説明】
【００３７】
【図１】本発明の一例としてのカード用コネクタの斜視図である。
【図２】図１のカード用コネクタの上面図である。
【図３】図１のカード用コネクタの内部状態を示す上面図である。
【図４】カード用コネクタの回動状態の一例を示す斜視図である。
【図５】図４の状態にあるカバーにカードを挿入した状態を示す斜視図である。
【図６】図２のカード用コネクタ１におけるＡ−Ａ線断面図であって、ロック状態を示す図である。
【図７】図２のカード用コネクタ１におけるＡ−Ａ線断面図であって、ロック解除状態を示す図である。
【図８】検出スイッチの動作を説明する図であって、ロック前の状態を示す図である。
【図９】検出スイッチの動作を説明する図であって、ロック状態を示す図である。
【図１０】検出スイッチを垂直に設けた例を示す概略図である。
【図１１】本発明のカード用コネクタによる誤操作防止の具体例を説明する図である。
【図１２】本発明のカード用コネクタによる誤操作防止の具体例を説明する図である。
【図１３】本発明のカード用コネクタによる誤操作防止の具体例を説明する図である。
【図１４】本発明のカード用コネクタによる誤操作防止の具体例を説明する図である。
【符号の説明】
【００３８】
１  カード用コネクタ
１０  ベース
１１  前方基板固定部
１２  ロック片
１３  後方基板固定部
１４  前方基板固定部
１５  ロック片
１６  後方基板固定部
１７  溝穴
２０  ハウジング部
２１  カバー設置部
２３  アーム部
２４  アーム部
２７  後方基板固定部
２８  ロック片
２９  ロック片
３２  中継部
３４  円形穴
３５  長溝
３７  傾斜面
４０  ヒンジカバー
４２  カード収容部
４３  挿抜口
４４  ロック板
４５  突出部
４６  内壁
４７  Ｌ字状かぎ部
４８  誘い込み部
４９  案内板
５０  側壁
５２  カード係止片
５３  垂直折曲部
５４  立設部
５５  先端
５６  外面
７０  検出スイッチ
７１  第一スイッチ部
７２  第二スイッチ部
７４  内方折曲部（接触部）
７５  外方折曲部
７６  接触パッド
９０  コンタクト
９１  基板固定部
９２  カード接触部
１００  カード
１０２  狭幅部
１０４  広幅部
１０６  段差部
１０７  係合凹部
【図１】
2008287919.tif 000003
【図２】
2008287919.tif 000004
【図３】
2008287919.tif 000005
【図４】
2008287919.tif 000006
【図５】
2008287919.tif 000007
【図６】
2008287919.tif 000008
【図７】
2008287919.tif 000009
【図８】
2008287919.tif 000010
【図９】
2008287919.tif 000011
【図１０】
2008287919.tif 000012
【図１１】
2008287919.tif 000013
【図１２】
2008287919.tif 000014
【図１３】
2008287919.tif 000015
【図１４】
2008287919.tif 000016